(57)【要約】【課題】各種の状況において、転写時にトナーの飛散による画像不良（転写ズレ、濃度ムラ）を抑止することが可能な画像形成装置を提供する。【解決手段】感光体の表面を帯電させ、該感光体の表面に原稿画像に応じた光照射をして潜像を形成する潜像形成手段と、該潜像を現像することでトナー像とする現像手段と、前記感光体近傍を搬送される転写材の裏面からコロナ放電を行うことで前記トナー像を転写材に転写せしめる転写手段と、前記転写手段とほぼ同一位置で前記転写と同時に転写同時除電露光処理を行って前記トナー像を転写材に転写せしめると共に感光体表面を除電するため、転写同時除電露光量が可変制御可能に構成された転写同時除電露光手段と、転写材の搬送方向に対して後端部領域の転写同時除電露光量もしくは先端部領域と後端部領域との転写同時除電露光量の少なくとも一方を低下させる制御を行う制御手段と、を備えたことを特徴とする。【選択図】      図１
2004301887.tif 000002
【特許請求の範囲】
【請求項１】
感光体の表面を帯電させ、該感光体の表面に原稿画像に応じた光照射をして潜像を形成する潜像形成手段と、
該潜像を現像することでトナー像とする現像手段と、
前記感光体近傍を搬送される転写材の裏面からコロナ放電を行うことで前記トナー像を転写材に転写せしめる転写手段と、
前記転写手段とほぼ同一位置で前記転写と同時に転写同時除電露光処理を行って前記トナー像を転写材に転写せしめると共に感光体表面を除電するため、転写同時除電露光量が可変制御可能に構成された転写同時除電露光手段と、
転写材の搬送方向に対して後端部領域の転写同時除電露光量もしくは先端部領域と後端部領域との転写同時除電露光量の少なくとも一方を低下させる制御を行う制御手段と、
を備えたことを特徴とする画像形成装置。
【請求項２】
前記転写同時除電露光手段は、電圧制御により転写同時除電露光量を可変制御する、
ことを特徴とする請求項１記載の画像形成装置。
【請求項３】
前記転写同時除電露光手段は、パルス幅変調制御により転写同時除電露光量を可変制御する、
ことを特徴とする請求項１記載の画像形成装置。
【請求項４】
前記制御手段は、前記転写同時除電露光量の制御と連動して、前記転写手段の転写出力値を変更する制御を行う、
ことを特徴とする請求項１乃至請求項３のいずれかに記載の画像形成装置。
【請求項５】
前記感光体近傍を搬送される転写材の裏面からコロナ放電を行うことで前記転写材を前記感光体から分離せしめる分離手段を備え、
前記制御手段は、前記転写同時除電露光量の制御と連動して、前記分離手段の分離出力値を変更する制御を行う、
ことを特徴とする請求項１乃至請求項３のいずれかに記載の画像形成装置。
【請求項６】
前記制御手段は、転写材への画像形成が片面か両面かに応じて、前記転写同時除電露光量を変更する制御を行う、
ことを特徴とする請求項１乃至請求項５のいずれかに記載の画像形成装置。
【請求項７】
前記制御手段は、転写材の厚みあるいは転写材の色の情報に応じて、前記転写同時除電露光量を変更する制御を行う、
ことを特徴とする請求項１乃至請求項６のいずれかに記載の画像形成装置。
【請求項８】
前記転写同時除電露光手段は、転写同時除電露光量を前記転写材の位置に応じて２段階に可変制御する、
ことを特徴とする請求項１乃至請求項７のいずれかに記載の画像形成装置。
【請求項９】
前記転写同時除電露光手段は、転写同時除電露光量を前記転写材の位置に応じて徐々に可変制御する、
ことを特徴とする請求項１乃至請求項７のいずれかに記載の画像形成装置。
【請求項１０】
転写材の先端が通過するタイミングと転写材の後端が通過するタイミングから転写材の位置を検出する転写材位置検知手段を備えた、
ことを特徴とする請求項８もしくは請求項９のいずれかに記載の画像形成装置。
【請求項１１】
前記制御手段は、転写材の搬送方向に対して後端部領域のみ転写同時除電露光量を低下させる制御を行う、
ことを特徴とする請求項１乃至請求項１０のいずれかに記載の画像形成装置。
【請求項１２】
前記制御手段は、転写材の搬送方向に対して先端部領域と転写材の搬送方向に対して後端部領域とで異なる制御量により転写同時除電露光量を低下させる制御を行う、
ことを特徴とする請求項１乃至請求項１０のいずれかに記載の画像形成装置。
【請求項１３】
前記制御手段は、転写材の搬送方向に対して先端部領域と転写材の搬送方向に対して後端部領域とで、異なる領域範囲で転写同時除電露光量を低下させる制御を行う、
ことを特徴とする請求項１乃至請求項１０のいずれかに記載の画像形成装置。
【請求項１４】
前記制御手段は、転写材の厚みあるいは転写材の色の情報を検出する検出手段を備え、該検出手段により得られた情報に応じて、前記転写同時除電露光量を変更する制御を行う、
ことを特徴とする請求項７記載の画像形成装置。
【発明の詳細な説明】
【０００１】
【発明が属する技術分野】
本発明は感光体上に形成されたトナー像を転写材に転写する際に、転写性能や分離性能を維持しつつ転写時の画像不良を有効に防止する画像形成装置に関する。
【０００２】
【従来の技術】
従来、転写と同時に除電露光を行って、画像形成を行ったところ、転写材後端にて画像不良が発生してしまうという問題があった。
【０００３】
すなわち、図Ａのタイミングチャートに示すように、除電露光は転写極と同時にオン・オフ制御を行っているため、転写材後端では除電露光の効果によって転写材と感光体との静電吸着力の低減が起こる。
【０００４】
さらに、それに加え、転写材自体の剛性、自重などの物性の差異により感光体からの剥離が促進されることがある。その結果として、感光体からの転写材の剥離点が早まり、画像不良の発生を来している。
【０００５】
また、従来の感光体への進入時の転写材の進入ガイド板は、固定タイプのものが主流である。また、一部に可動式の物があるが、これらは、付勢部材により進入ガイド板が位置決め部材に押し当てられる形で組み立てられている。そして、その目的は、感光体と進入ガイド板との位置関係を精度良く組み立てるため、あるいは、厚い転写材が送られたときの給送不良を防ぐために、転写材が搬送される力により自然に広がり動作するようにしてある。
【０００６】
しかし、転写材の送りスピードを速めて行くと、転写材の先端および後端で転写材の動きが不安定になり感光体への密着性が低下し、画質低下を来たすことがある。
【０００７】
なお、転写材の動きが不安定に成ることで発生する画像後端での転写に起因する画質低下について、たとえば、以下の特許文献１に記載されている。
【０００８】
【特許文献１】
特開２００１−２８２０６７号公報（第１頁、図１）
【０００９】
【発明が解決しようとする課題】
上述の不具合は、ガイド板と感光体との相対位置に大きく依存するものと思われるし、転写材の物性の差異にも影響されるものである。
【００１０】
また、以上の特許文献１記載の技術によって若干の改良が得られるものの、制御のオンオフによって行う場合、先端部領域・後端部領域でトナーの転写材への飛散が発生することがあった。
【００１１】
また、フィルタを入れて、転写同時除電露光の光量制御をすることも考えられるが、大光量が必要とされるという問題が発生する。
【００１２】
また、片面画像形成や両面画像形成などの違いに応じて転写同時除電露光の光量を制御することがいっさい配慮されておらず、転写濃度むらが発生するという問題も発生していた。
【００１３】
また、白紙や色紙などの違い、紙厚の違いなどに応じて転写同時除電露光の光量を制御することがいっさい配慮されておらず、転写濃度むらが発生するという問題も発生していた。
【００１４】
さらに、転写同時除電露光の制御と転写出力の関係、転写同時除電露光の制御と分離出力の関係などについては、何ら配慮がなされておらず、転写同時除電露光を制御したとしても並行して適切な転写や分離がなされていないという問題があった。
【００１５】
本発明はこのような状況に鑑みてなされたものであり、その目的は、各種の状況において、転写時にトナーの飛散による画像不良（転写ズレ、濃度ムラ）を抑止することが可能な画像形成装置を提供することである。
【００１６】
また、本発明はこのような状況に鑑みてなされたものであり、その目的は、各種の状況において、分離性能を維持しつつ、転写時にトナーの飛散による画像不良（転写ズレ、濃度ムラ）を抑止することが可能な画像形成装置を提供することである。
【００１７】
【課題を解決するための手段】
すなわち、課題を解決する手段としての本発明は以下に説明するようなものである。
【００１８】
（１）請求項１記載の発明は、感光体の表面を帯電させ、該感光体の表面に原稿画像に応じた光照射をして潜像を形成する潜像形成手段と、該潜像を現像することでトナー像とする現像手段と、前記感光体近傍を搬送される転写材の裏面からコロナ放電を行うことで前記トナー像を転写材に転写せしめる転写手段と、前記転写手段とほぼ同一位置で前記転写と同時に転写同時除電露光処理を行って前記トナー像を転写材に転写せしめると共に感光体表面を除電するため、転写同時除電露光量が可変制御可能に構成された転写同時除電露光手段と、転写材の搬送方向に対して後端部領域の転写同時除電露光量もしくは先端部領域と後端部領域との転写同時除電露光量の少なくとも一方を低下させる制御を行う制御手段と、を備えたことを特徴とする画像形成装置である。
【００１９】
この発明では、転写と同時に転写同時除電露光処理を行ってトナー像を転写材に転写せしめると共に感光体表面を除電する際、転写材の搬送方向に対して後端部領域の転写同時除電露光量もしくは先端部領域と後端部領域との転写同時除電露光量の少なくとも一方を低下させる制御を行うようにしている。
【００２０】
この結果、転写同時除電露光処理を行う場合にも、紙端部からの感光体への光の回り込みが抑えられ、各種の状況において、光の回り込みに起因したトナーの飛散による画像不良（転写ズレ、濃度ムラ）を抑止することが可能になる。
【００２１】
（２）請求項２記載の発明は、前記転写同時除電露光手段は、電圧制御により転写同時除電露光量を可変制御する、ことを特徴とする請求項１記載の画像形成装置である。
【００２２】
この発明では、電圧制御により転写同時除電露光量を可変制御しているため、転写同時除電露光処理を行う場合にも、紙端部からの感光体への光の回り込みが有効に抑えられ、各種の状況において、光の回り込みに起因したトナーの飛散による画像不良（転写ズレ、濃度ムラ）を抑止することが可能になる。
【００２３】
（３）請求項３記載の発明は、前記転写同時除電露光手段は、パルス幅変調制御により転写同時除電露光量を可変制御する、ことを特徴とする請求項１記載の画
この発明では、パルス幅変調制御により転写同時除電露光量を可変制御しているため、転写同時除電露光処理を行う場合にも、紙端部からの感光体への光の回り込みが有効に抑えられ、各種の状況において、光の回り込みに起因したトナーの飛散による画像不良（転写ズレ、濃度ムラ）を抑止することが可能になる。
像形成装置である。
【００２４】
（４）請求項４記載の発明は、前記制御手段は、前記転写同時除電露光量の制御と連動して、前記転写手段の転写出力値を変更する制御を行う、ことを特徴とする請求項１乃至請求項３のいずれかに記載の画像形成装置である。
【００２５】
この発明では、転写同時除電露光量の可変制御と連動して転写出力値を変更する制御を実行しているため、転写同時除電露光処理を行う場合にも、紙端部からの感光体への光の回り込みが有効に抑えられ、各種の状況において、転写性能を維持しつつ、光の回り込みに起因したトナーの飛散による画像不良（転写ズレ、濃度ムラ）を抑止し、安定した転写を行うことが可能になる。
【００２６】
（５）請求項５記載の発明は、前記感光体近傍を搬送される転写材の裏面からコロナ放電を行うことで前記転写材を前記感光体から分離せしめる分離手段を備え、前記制御手段は、前記転写同時除電露光量の制御と連動して、前記分離手段の分離出力値を変更する制御を行う、ことを特徴とする請求項１乃至請求項３のいずれかに記載の画像形成装置である。
【００２７】
この発明では、転写同時除電露光量の可変制御と連動して分離出力値を変更する制御を実行しているため、転写同時除電露光処理を行う場合にも、紙端部からの感光体への光の回り込みが有効に抑えられ、各種の状況において、転写性能を維持しつつ、光の回り込みに起因したトナーの飛散による画像不良（転写ズレ、濃度ムラ）を抑止し、安定した分離を行うことが可能になる。
【００２８】
（６）請求項６記載の発明は、前記制御手段は、転写材への画像形成が片面か両面かに応じて、前記転写同時除電露光量を変更する制御を行う、ことを特徴とする請求項１乃至請求項５のいずれかに記載の画像形成装置である。
【００２９】
この発明では、片面画像形成か両面画像形成かに応じて転写同時除電露光量を可変制御しているため、転写同時除電露光処理を行う場合にも、紙端部からの感光体への光の回り込みが有効に抑えられるだけでなく、片面画像形成／両面画像形成に応じた適切な転写同時除電露光が行われるようになり、各種の状況において、光の回り込みに起因したトナーの飛散による画像不良（転写ズレ、濃度ムラ）を抑止することが可能になる。
【００３０】
（７）請求項７記載の発明は、前記制御手段は、転写材の厚みあるいは転写材の色の情報に応じて、前記転写同時除電露光量を変更する制御を行う、ことを特徴とする請求項１乃至請求項６のいずれかに記載の画像形成装置である。
【００３１】
この発明では、転写材の厚みや色に応じて転写同時除電露光量を可変制御しているため、転写同時除電露光処理を行う場合にも、紙端部からの感光体への光の回り込みが有効に抑えられるだけでなく、転写材に応じた適切な転写同時除電露光が行われるようになり、各種の状況において、光の回り込みに起因したトナーの飛散による画像不良（転写ズレ、濃度ムラ）を抑止することが可能になる。
【００３２】
（８）請求項８記載の発明は、前記転写同時除電露光手段は、転写同時除電露光量を前記転写材の位置に応じて２段階に可変制御する、ことを特徴とする請求項１乃至請求項７のいずれかに記載の画像形成装置である。
【００３３】
この発明では、転写同時除電露光量を２段階に可変制御しているため、転写同時除電露光処理を行う場合にも、紙端部からの感光体への光の回り込みが有効に抑えられ、適切な転写同時除電露光が行われるようになり、各種の状況において、光の回り込みに起因したトナーの飛散による画像不良（転写ズレ、濃度ムラ）を抑止することが可能になる。
【００３４】
（９）請求項９記載の発明は、前記転写同時除電露光手段は、転写同時除電露光量を前記転写材の位置に応じて徐々に可変制御する、ことを特徴とする請求項１乃至請求項７のいずれかに記載の画像形成装置である。
【００３５】
この発明では、転写同時除電露光量を徐々に可変制御しているため、転写同時除電露光処理を行う場合にも、紙端部からの感光体への光の回り込みが有効に抑えられ、適切な転写同時除電露光が行われるようになり、各種の状況において、光の回り込みに起因したトナーの飛散による画像不良（転写ズレ、濃度ムラ）を抑止することが可能になる。
【００３６】
（１０）請求項１０記載の発明は、転写材の先端が通過するタイミングと転写材の後端が通過するタイミングから転写材の位置を検出する転写材位置検知手段を備えた、ことを特徴とする請求項８もしくは請求項９のいずれかに記載の画像形成装置である。
【００３７】
この発明では、転写材の通過タイミングから転写材の位置を検出して、以上の（１）〜（９）の制御を実行しているため、転写同時除電露光処理を行う場合にも、紙端部からの感光体への光の回り込みが有効に抑えられ、適切なタイミングにて転写同時除電露光が行われるようになり、各種の状況において、光の回り込みに起因したトナーの飛散による画像不良（転写ズレ、濃度ムラ）を抑止することが可能になる。
【００３８】
（１１）請求項１１記載の発明は、前記制御手段は、転写材の搬送方向に対して後端部領域のみ転写同時除電露光量を低下させる制御を行う、ことを特徴とする請求項１乃至請求項１０のいずれかに記載の画像形成装置である。
【００３９】
この発明では、転写と同時に転写同時除電露光処理を行ってトナー像を転写材に転写せしめると共に感光体表面を除電する際、転写材の搬送方向に対して後端部の転写同時除電露光量を低下させる制御を行うようにしている。
【００４０】
この結果、転写同時除電露光処理を行う場合にも、転写材の後端端部からの感光体への光の回り込みが抑えられ、各種の状況において、光の回り込みに起因したトナーの飛散による画像不良（転写ズレ、濃度ムラ）を抑止することが可能になる。
【００４１】
（１２）請求項１２記載の発明は、前記制御手段は、転写材の搬送方向に対して先端部領域と転写材の搬送方向に対して後端部領域とで異なる制御量により転写同時除電露光量を低下させる制御を行う、ことを特徴とする請求項１乃至請求項１０のいずれかに記載の画像形成装置である。
【００４２】
この発明では、転写と同時に転写同時除電露光処理を行ってトナー像を転写材に転写せしめると共に感光体表面を除電する際、転写材の先端部と後端部との転写同時除電露光量を独立して低下させる制御を行うようにしている。
【００４３】
この結果、転写同時除電露光処理を行う場合にも、紙端部からの感光体への光の回り込みが抑えられ、各種の状況において、光の回り込みに起因したトナーの飛散による画像不良（転写ズレ、濃度ムラ）を抑止することが可能になる。
【００４４】
（１３）請求項１３記載の発明は、前記制御手段は、転写材の搬送方向に対して先端部領域と転写材の搬送方向に対して後端部領域とで、異なる領域範囲で転写同時除電露光量を低下させる制御を行う、ことを特徴とする請求項１乃至請求項１０のいずれかに記載の画像形成装置である。
【００４５】
この発明では、転写と同時に転写同時除電露光処理を行ってトナー像を転写材に転写せしめると共に感光体表面を除電する際、転写材の先端部と後端部との転写同時除電露光量を異なる領域範囲で低下させる制御を行うようにしている。
【００４６】
この結果、転写同時除電露光処理を行う場合にも、紙端部からの感光体への光の回り込みが抑えられ、各種の状況において、光の回り込みに起因したトナーの飛散による画像不良（転写ズレ、濃度ムラ）を抑止することが可能になる。
【００４７】
（１４）請求項１４記載の発明は、前記制御手段は、転写材の厚みあるいは転写材の色の情報を検出する検出手段を備え、該検出手段により得られた情報に応じて、前記転写同時除電露光量を変更する制御を行う、ことを特徴とする請求項７記載の画像形成装置である。
【００４８】
この発明では、転写材の厚みや色を自動的に検出して、それに応じて転写同時除電露光量を可変制御しているため、転写同時除電露光処理を行う場合にも、紙端部からの感光体への光の回り込みが有効に抑えられるだけでなく、転写材に応じた適切な転写同時除電露光が行われるようになり、各種の状況において、光の回り込みに起因したトナーの飛散による画像不良（転写ズレ、濃度ムラ）を抑止することが可能になる。
【００４９】
【発明の実施の形態】
以下、図面を参照して本発明の実施の形態例を詳細に説明する。
【００５０】
〈第一の実施の形態例〉
まず、図２を参照して画像形成装置の全体について説明する。なお、この実施の形態例では、画像形成装置として複写機を用いて説明を行う。
【００５１】
この図２において、原稿の両面給送が可能なＡＤＦ１０の原稿載置部１１には、原稿第１頁の表面を上にした状態の原稿ｄが複数枚載置されている。ローラ１２ａ、ローラ１２ｂを介して繰り出された原稿の１枚目はローラ１３を介して回転搬送される。
【００５２】
つぎに、光源２３により原稿ｄの原稿面が照射され、その反射光がミラー２４，２５，２６を介して結像光学系２７を介して光電変換手段であるＣＣＤ２８の受光面に像を結ぶ。ここで、光源２３、ミラー２４，２５，２６、結像光学系２７及びＣＣＤ２８を有する光学系、並びに、図示されていない光学系駆動手段とで画像読み取り部２０を構成している。
【００５３】
この図２において、原稿ｄがプラテンガラス２１上に読み取り面を下に向けた状態に載置された場合には、光学系はプラテンガラス２１に沿って走査して読み取りを行う。
【００５４】
また、原稿ｄが自動給紙されてローラ１３の周囲を回る場合には、第２のプラテンガラス２２下に光源２３とミラー２４とが固定された状態で読み取りを行う。そして、読み取られた原稿ｄの画像データは、ＣＣＤ２８から図示しない画像処理部に送られる。
【００５５】
なお、原稿ｄがＡＤＦ１０により自動給送される場合には、原稿ｄの１ページ目が読み取られると、今度は反転ローラ１４を介して再度ローラ１３を用いた巻き取り操作が行われ、原稿裏面の画像が画像読み取り部２０で読み取られ、画像処理部（図示せず）に送られる。
【００５６】
このようにして、表面と裏面との画像が読み取られた原稿ｄは、再度反転ローラ１４で反転されて、表面を下に向けた状態で排紙皿１６に積載されていく。
【００５７】
このようにして画像読み取り部２０で読み取られた画像データは、画像処理部（図示せず）で所定の画像処理が行なわれた後、圧縮されて画像メモリに記憶される。
【００５８】
一方、転写材が積載されている給紙カセット３０（３０ａ〜３０ｃ）から、給紙ローラ３１（３１ａ〜３１ｃ）により転写材ｐが繰り出され、画像形成部５０に給送される。
【００５９】
そして、各給紙カセットから送り出された転写材は、センサ１１０（紙状態検知センサ１１１および紙位置検知センサ１１２）によって紙状態（転写材の色や厚み）の検知と、紙位置についての検知が行われる。
【００６０】
また、画像形成部５０に給送される転写材ｐは、その入口付近のレジストローラ３２で同期がとられた後、像担持体となる感光体ドラム５１に近接する。
【００６１】
画像処理部から画像書き込み部４０に画像データが入力され、画像書込み部４０内のレーザダイオードから画像データに応じたレーザ光を感光体ドラム５１上に照射し、静電潜像を形成する。この静電潜像を現像部５３で現像することで、感光体ドラム５１上にトナー像を形成する。
【００６２】
このトナー像は感光体ドラム５１の下部の転写部５４により転写材ｐに転写される。そして、感光体ドラム５１に当接されている転写材ｐは分離部５５により分離される。
【００６３】
なお、転写部５４とほぼ同一位置で、転写と同時に転写同時除電露光処理を行って前記トナー像を転写材に転写せしめると共に感光体ドラム５１表面を除電するため、転写同時除電露光量が可変制御可能に構成された転写同時除電露光手段としての除電露光部１９０が設けられている。
【００６４】
感光体ドラム５１から分離された転写材ｐは搬送機構５８を介して定着部５９に入り、トナー像が熱と圧力とにより定着される。このようにして、転写材ｐに画像が形成される。
【００６５】
なお、両面画像形成の際の反転再給紙の必要がある場合には、トナー像が定着された転写材ｐは、ガイド６１を介して下方に搬送され、反転部６３に入る。次に、反転部６３に入っている転写材ｐは、反転ローラにより再度繰り出され、反転搬送路６４を経由して再度画像形成部５０に送られる。前記原稿ｄの片面の画像形成が終了した画像形成部５０では、感光体ドラム５１に付着したトナーがクリーニング部５６で除去され、次の画像形成に備えている。
【００６６】
この状態で転写材ｐのもう一方の面（未だ画像形成されていない面）が画像形成部５０に搬入され、画像が形成される。分離部５５で感光体ドラム５１から分離された転写材ｐは搬送機構５８を介して再度定着部５９に入って定着される。このようにして、裏面と表面との画像形成が完了した転写材ｐ、または、一方の面の画像形成が完了した転写材ｐは機外に排出される。
【００６７】
〈第一の実施の形態例〉
図１は本発明の実施の形態例の画像形成装置の特徴部分の電気的構成を示すブロック図である。
【００６８】
この図１において、１０１は画像形成装置１００の各部を制御する全体制御部として制御手段のであり、本実施の形態例においては画像形成の際の転写同時除電露光量の制御を行うものである。
【００６９】
なお、本実施の形態例では、制御手段１０１が、転写材の搬送方向に対して後端部領域の転写同時除電露光量もしくは先端部領域と後端部領域との転写同時除電露光量の少なくとも一方を低下させる制御を行う。
【００７０】
また、本実施の形態例では、制御手段１０１が、転写同時除電露光量の制御と連動して、転写手段の転写出力値を変更する制御を行う。ここで、「連動」とは、ほぼ同じタイミングで変更の開始と終了とを制御することを意味する。
【００７１】
また、本実施の形態例では、制御手段１０１が、転写同時除電露光量の制御と連動して、分離手段の分離出力値を変更する制御を行う。ここで、「連動」とは、ほぼ同じタイミングで変更の開始と終了とを制御することを意味する。
【００７２】
また、本実施の形態例では、制御手段１０１が、転写材への画像形成が片面か両面かに応じて、転写同時除電露光量を変更する制御を行う。
【００７３】
また、本実施の形態例では、制御手段１０１が、転写材の厚みあるいは転写材の色の情報に応じて、転写同時除電露光量を変更する制御を行う。
【００７４】
１０２は画像形成装置１００に対して各種情報の入力を行う操作部および各種状態を表示する表示部を兼ね備えた操作表示部である。
【００７５】
１１０は紙状態検知センサ１１１および紙位置検知センサ１１２とを有するセンサである。ここで、紙状態検知センサ１１１によって紙状態（転写材の色や厚み）の検知が行われる。また、転写材位置検知手段としての紙位置検知センサ１１２によって紙位置についての検知が行われる。
【００７６】
１２０は感光体ドラム５１に静電潜像あるいはトナー像を形成させる際に必要な高圧を発生せしめる高圧電源制御部、１３０は感光体ドラム５１に静電潜像あるいはトナー像を形成させる際に必要な高圧を帯電せしめる高圧出力部である。
【００７７】
１４０は感光体ドラム５１に生成されたトナー像を転写材に転写せしめる際に必要なコロナ放電の電圧を発生せしめる転写電源制御部、１５０は感光体ドラム５１に生成されたトナー像をコロナ放電により転写材に転写せしめる転写部である。
【００７８】
１６０は感光体ドラム５１に生成されたトナー像を転写材に転写せしめた後に該転写材を感光体ドラム５１から分離する際に必要なコロナ放電の電圧を発生せしめる分離電源制御部、１７０は感光体ドラム５１から転写材をコロナ放電により分離せしめる分離部である。
【００７９】
１８０は、転写部１５０とほぼ同一位置で転写と同時に転写同時除電露光処理を行ってトナー像を転写材に転写せしめると共に感光体ドラム５１表面を除電するため、転写同時除電露光量を制御する除電露光制御部である。
【００８０】
１９０は、転写部１５０とほぼ同一位置で転写と同時に転写同時除電露光処理を行ってトナー像を転写材に転写せしめると共に感光体ドラム５１表面を除電するため、転写同時除電露光量が可変制御可能に構成された除電露光部である。
【００８１】
なお、以上の除電露光制御部１８０と除電露光部１９０とで、本発明の実施の形態例における転写同時除電露光手段（転写と同時に除電露光を行う手段）を構成している。
【００８２】
以下、本発明の実施の形態例の画像形成装置の動作を図３以降のタイムチャートをも参照して説明する。
【００８３】
紙位置センサ１１２は給紙経路上の転写材の有無を検知するセンサ（転写材位置検知手段）であり、その出力変化からの時間をＣＰＵ１０１がタイマ（図示せず）を動作させることによりカウントし、転写材の位置を判断している。
【００８４】
ここで、給紙経路にそって進入してきた転写材は、進入ガイド板に沿い感光体ドラム５１の表面に密着するように進入し、コロナ放電を発生する転写部５４（１５０）から電荷の注入を受け感光体ドラム５１上のトナー像が転写される。
【００８５】
その際、図３（ｂ）あるいは図３（ｃ）のタイムチャートに示すように、除電露光部１９０からの光により感光体ドラム５１上の電荷が除電される。
【００８６】
この除電露光部１９０の制御は前記センサ１１０からの検知信号を受けたＣＰＵ１０１が、タイマをカウントさせ適正なタイミングを計り、除電露光部１９０（例えばＬＥＤ）の駆動電源である除電露光制御部１８０をＯＮ／ＯＦＦする制御信号を出し、除電露光部１９０をＯＮ／ＯＦＦすることにより行われる。
【００８７】
なお、従来の除電露光であれば、図３（ｂ）に示すように、転写と同時にＯＮ／ＯＦＦする制御となっていた。すなわち、転写材が感光体ドラム５１に到来する直前から転写と転写同時除電露光とをＯＮさせ、転写と同時に除電露光を行わせ、転写材が感光体ドラム５１を離れてから転写と転写同時除電露光とをＯＦＦさせていた。
【００８８】
これに対し、本発明の実施の形態例の転写同時除電露光では、図３（ｃ）に示すように、転写材の搬送方向に対して後端部領域の転写同時除電露光量もしくは先端部領域と後端部領域との転写同時除電露光量の少なくとも一方を低下させる制御を行うようにしている。
【００８９】
なお、この図３（ｃ）の具体例は、転写材の搬送方向に対して先端部領域と後端部領域との転写同時除電露光量を低下させる制御を行うものを示している。
【００９０】
このように制御した結果、転写同時除電露光処理を行う場合にも、紙端部からの感光体ドラム５１への光の回り込みが抑えられ、各種の状況において、光の回り込みに起因したトナーの飛散による画像不良（転写ズレ、濃度ムラ）を抑止することが可能になる。
【００９１】
また、図３の実施の形態例では、パルス幅変調（ＰＷＭ）制御により転写同時除電露光量を可変制御しているため、転写同時除電露光処理を行う場合にも、紙端部からの感光体への光の回り込みが有効に制御しつつ抑えられ、各種の状況において、光の回り込みに起因したトナーの飛散による画像不良（転写ズレ、濃度ムラ）を抑止することが可能になる。
【００９２】
また、転写材の搬送方向に対して後端部領域の転写同時除電露光量もしくは先端部領域と後端部領域との転写同時除電露光量の少なくとも一方について、ＰＷＭ制御のデューティーを一律に低下させるのではなく、徐々に変化させるようにしてもよい。
【００９３】
すなわち、転写同時除電露光を開始する先端部付近ではデューティーを０％近傍の値とし、転写材の端部を通過した時点でデューティーを１００％近傍の値となるようにデューティーを徐々に変化させ、さらに、転写同時除電露光を終了する後端部付近ではデューティーを０％近傍の値に徐々に近づけるようにしてもよい。
【００９４】
また、デューティーを転写材の先端部と後端部で下げる場合にも、異なる値や変化率で制御するようにしてもよい。
【００９５】
このようにパルス幅変調制御により転写同時除電露光量を各種の比率や値で可変制御することでも、転写同時除電露光処理を行う場合にも、紙端部からの感光体への光の回り込みが有効に抑えられ、各種の状況において、光の回り込みに起因したトナーの飛散による画像不良（転写ズレ、濃度ムラ）を抑止することが可能になる。
【００９６】
また、転写材の搬送方向に対して後端部領域の転写同時除電露光量もしくは先端部領域と後端部領域との転写同時除電露光量の少なくとも一方について、図４（ａ）に示すように、転写材の位置に応じて２段階に可変制御する、ようにしてもよい。
【００９７】
なお、この図４（ａ）の具体例は、転写材の搬送方向に対して先端部領域と後端部領域との転写同時除電露光量を２段階に制御しつつ低下させる制御を行うものを示している。
【００９８】
この実施の形態例では、転写同時除電露光量を２段階に可変制御しているため、転写同時除電露光処理を行う場合にも、紙端部からの感光体への光の回り込みが有効に抑えられ、適切な転写同時除電露光が行われるようになり、各種の状況において、光の回り込みに起因したトナーの飛散による画像不良（転写ズレ、濃度ムラ）を抑止することが可能になる。
【００９９】
また、転写材の搬送方向に対して後端部領域の転写同時除電露光量もしくは先端部領域と後端部領域との転写同時除電露光量の少なくとも一方について、図４（ｂ）に示すように、転写材の位置に応じて徐々に可変制御する、ようにしてもよい。
【０１００】
なお、この図４（ｂ）の具体例は、転写材の搬送方向に対して先端部領域と後端部領域との転写同時除電露光量を、端部方向になるに従って徐々に低下させる制御を行うものを示している。
【０１０１】
この実施の形態例では、転写同時除電露光量を徐々に可変制御しているため、転写同時除電露光処理を行う場合にも、紙端部からの感光体への光の回り込みが有効に抑えられ、適切な転写同時除電露光が行われるようになり、各種の状況において、光の回り込みに起因したトナーの飛散による画像不良（転写ズレ、濃度ムラ）を抑止することが可能になる。
【０１０２】
また、転写材の搬送方向に対して後端部領域の転写同時除電露光量もしくは先端部領域と後端部領域との転写同時除電露光量の少なくとも一方について、図４（ｃ）に示すように、転写材の位置に応じて２段階かつ徐々に可変制御する、ようにしてもよい。
【０１０３】
なお、この図４（ｃ）の具体例は、転写材の搬送方向に対して先端部領域と後端部領域との転写同時除電露光量を、端部方向になるに従って２段階制御し、２段階の中間部分を端部方向に徐々に低下させる制御を行うものを示している。
【０１０４】
この実施の形態例では、転写同時除電露光量を２段階かつ徐々に可変制御しているため、転写同時除電露光処理を行う場合にも、紙端部からの感光体への光の回り込みが有効に抑えられ、適切な転写同時除電露光が行われるようになり、各種の状況において、光の回り込みに起因したトナーの飛散による画像不良（転写ズレ、濃度ムラ）を抑止することが可能になる。
【０１０５】
この実施の形態例では、転写と同時に転写同時除電露光処理を行ってトナー像を転写材に転写せしめると共に感光体表面を除電する際、転写材の搬送方向に対して後端部の転写同時除電露光量のみを低下させる制御を行うようにしてもよい。この場合、転写同時除電露光処理を行う場合にも、転写材の後端端部からの感光体への光の回り込みが抑えられ、各種の状況において、光の回り込みに起因したトナーの飛散による画像不良（転写ズレ、濃度ムラ）を抑止することが可能になる。また、後端部のみの制御であるため、制御が容易になり、かつ、安定した搬送が行える。
【０１０６】
また、この実施の形態例では、転写と同時に転写同時除電露光処理を行ってトナー像を転写材に転写せしめると共に感光体表面を除電する際、転写材の先端部と後端部との転写同時除電露光量を独立して低下させる制御を行うようにしてもよい。この場合、転写同時除電露光処理を行う場合にも、紙端部からの感光体への光の回り込みが適切なレベルで抑えられ、各種の状況において、光の回り込みに起因したトナーの飛散による画像不良（転写ズレ、濃度ムラ）を抑止することが可能になる。
【０１０７】
また、この実施の形態例では、転写と同時に転写同時除電露光処理を行ってトナー像を転写材に転写せしめると共に感光体表面を除電する際、転写材の先端部と後端部との転写同時除電露光量を異なる領域範囲で低下させる制御を行うようにしてもよい。この場合、転写同時除電露光処理を行う場合にも、紙端部からの感光体への光の回り込みが適切な領域範囲で抑えられ、各種の状況において、光の回り込みに起因したトナーの飛散による画像不良（転写ズレ、濃度ムラ）を抑止することが可能になる。
【０１０８】
また、この実施の形態例では、転写材の厚みや色を操作表示部１０２からオペレータが入力して、それに応じて転写同時除電露光量を可変制御してもよい。この場合、厚いほど、あるいは、色が濃いほど、転写同時除電露光量を増加させ、薄いほど、あるいは、色が淡いほど、転写同時除電露光量を低下させるように制御することが好ましい。このようにすることで、転写同時除電露光処理を行う場合にも、紙端部からの感光体への光の回り込みが有効に抑えられるだけでなく、転写材に応じた適切な転写同時除電露光が行われるようになり、各種の状況において、光の回り込みに起因したトナーの飛散による画像不良（転写ズレ、濃度ムラ）を抑止することが可能になる。
【０１０９】
また、この実施の形態例では、転写材の厚みや色を自動的に検出して、それに応じて転写同時除電露光量を可変制御してもよい。この場合、厚いほど、あるいは、色が濃いほど、転写同時除電露光量を増加させ、薄いほど、あるいは、色が淡いほど、転写同時除電露光量を低下させるように制御することが好ましい。このようにすることでも、転写同時除電露光処理を行う場合にも、紙端部からの感光体への光の回り込みが有効に抑えられるだけでなく、転写材に応じた適切な転写同時除電露光が行われるようになり、各種の状況において、光の回り込みに起因したトナーの飛散による画像不良（転写ズレ、濃度ムラ）を抑止することが可能になる。
【０１１０】
また、この実施の形態例では、制御手段１０１は、片面画像形成か両面画像形成かに応じて転写同時除電露光量を可変制御してもよい。この場合、両面画像形成の第２面では、両面にトナーが載っている状態であるため、転写同時除電露光量を第１面より多めにした状態で、以上のそれぞれの実施の形態例の制御を適用することが好ましい。
【０１１１】
〈第二の実施の形態例〉
図５は本発明の第二の実施の形態例の制御を示すタイムチャートである。ここで、図５（ａ）は従来の転写同時除電露光量を示しており、図５（ｂ）は以上の第一の実施の形態例による転写同時除電露光のＰＷＭ制御の例を示している。
【０１１２】
この状態で、転写部５４（１５０）の転写出力値は、従来は図５（ｃ）のように一定であった。
【０１１３】
ここで、本発明の第二の実施の形態例では、制御手段１０１の制御により、転写同時除電露光量の制御（図５（ｂ））とほぼ連動した状態で、転写材の搬送方向に対して先端部領域と後端部領域との転写出力値を、端部領域で上昇させるように２段階制御している（図５（ｄ））。
【０１１４】
ここで、連動とは、ほぼ同じタイミングで変更の開始と終了とを制御することを意味しており、図５（ｄ）のように、開始と終了とのタイミングがほぼ同じになることを意味する。
【０１１５】
この第二実施の形態例では、転写同時除電露光量の可変制御と連動して転写出力値を変更する制御を実行しているため、転写同時除電露光処理を行う場合にも、紙端部からの感光体への光の回り込みが有効に抑えられ、各種の状況において、転写性能を維持しつつ、光の回り込みに起因したトナーの飛散による画像不良（転写ズレ、濃度ムラ）を抑止し、安定した転写を行うことが可能になる。
【０１１６】
〈第三の実施の形態例〉
同様に、図５は本発明の第三の実施の形態例の制御を示すタイムチャートである。ここで、図５（ａ）は従来の転写同時除電露光量を示しており、図５（ｂ）は以上の第一の実施の形態例による転写同時除電露光のＰＷＭ制御の例を示している。
【０１１７】
この状態で、分離部５５（１７０）の分離出力値は、従来は図５（ｅ）のように一定であった。
【０１１８】
ここで、本発明の第三の実施の形態例では、制御手段１０１の制御により、転写同時除電露光量の制御（図５（ｂ））とほぼ連動した状態で、転写材の搬送方向に対して先端部領域と後端部領域との分離出力値を、端部領域で上昇させるように２段階制御している（図５（ｆ））。ここで、連動とは、先端部領域や後端部領域において制御することを意味しており、図５（ｆ）のようにになることを意味する。
【０１１９】
この第三の実施の形態例では、転写同時除電露光量の可変制御と連動して分離出力値を変更する制御を実行しているため、転写同時除電露光処理を行う場合にも、紙端部からの感光体への光の回り込みが有効に抑えられ、各種の状況において、分離性能を維持しつつ、光の回り込みに起因したトナーの飛散による画像不良（転写ズレ、濃度ムラ）を抑止し、安定した分離を行うことが可能になる。
【０１２０】
〈その他の実施の形態例〉
なお、以上の図２の装置の具体例においてはモノクロの画像形成装置を用いたが、カラーの画像形成装置や中間転写体ベルトを使用する画像形成装置であっても同様に本実施の形態例によって良好な結果を得ることができる。
【０１２１】
また、以上の制御で、２段階に変化させた部分を、３段階以上にしたり、徐々に変化させた部分を細かく段階的に変化させたり、といった制御を行うことも可能である。
【０１２２】
また、以上の制御で、徐々に直線的に変化させた部分を、曲線的な特性で滑らかに変化させたり、といった制御を行うことも可能である。
【０１２３】
【発明の効果】
以上、説明したように、本発明によれば、各種の状況において、転写時にトナーの飛散による画像不良（転写ズレ、濃度ムラ）を抑止することが可能な画像形成装置を実現できる。
【０１２４】
また、本発明によれば、各種の状況において、分離性能を維持しつつ、転写時にトナーの飛散による画像不良（転写ズレ、濃度ムラ）を抑止することが可能な画像形成装置を実現できる。
【図面の簡単な説明】
【図１】本発明の実施の形態例の画像形成装置の電気的構成を示す構成図である。
【図２】本発明の実施の形態例の画像形成装置の機械的構成を示す構成図である。
【図３】本発明の実施の形態例の画像形成装置の動作状態示すタイムチャートである。
【図４】本発明の実施の形態例の画像形成装置の動作状態示すタイムチャートである。
【図５】本発明の実施の形態例の画像形成装置の動作状態示すタイムチャートである。
【符号の説明】
１００  画像形成装置
１０１  制御手段
１０２  操作表示部
１１０  センサ
１２０  高圧電源制御部
１３０  高圧出力部
１４０  転写電源制御部
１５０  転写部
１６０  分離電源制御部
１７０  分離部
１８０  除電露光制御部
１９０  除電露光部
【図１】
2004301887.tif 000003
【図２】
2004301887.tif 000004
【図３】
2004301887.tif 000005
【図４】
2004301887.tif 000006
【図５】
2004301887.tif 000007